(57)【要約】      （修正有）【課題】締付け感を受けることなく被れ、着用場所、季節、時間帯、服装等に応じ、サンバイザータイプ、頭頂部を有する通常の帽子とし、さらに、素材、色、柄を変えて、幾通りにも使用できるようにした帽子を提供する。【解決手段】硬い可撓性の生地からなり頭部に被せられるつば本体、覆い布止め具によりつば本体の上に着脱可能な柔軟な布製のつば覆い布、およびつば本体に着脱可能な頭頂部覆い布からなり、つば本体の後端部が開いており、その開いた両後端部が長さ調節可能なゴム部材によりつながっており、つば覆い布がゴム部材をカバーする延長部材を具備し、延長部材の先端部とそれに対向する箇所とを係合する延長部材止め具を有している。【選択図】図１
0003161483.tif 000002
【実用新案登録請求の範囲】
【請求項１】
硬い可撓性の生地からなり着用者の頭部に被せられるつば本体、覆い布止め具により該つば本体の上に着脱可能な柔軟な布製のつば覆い布、および前記つば本体に着脱可能な頭頂部覆い布からなり、前記つば本体の後端部が開いており、該つば本体の開いた両後端部が長さ調節可能なゴム部材によりつながっており、前記つば覆い布がゴム部材をカバーする延長部材を具備し、該延長部材の先端部と該先端部に対向する前記つば覆い布の箇所とを係合する延長部材止め具を有していることを特徴とする帽子。
【請求項２】
前記つば本体の両後端部に前記ゴム部材の端部がそれぞれ取着され、該ゴム部材の両端部間に該ゴム部材の長さを調節する部材が取付けられていることを特徴とする請求項１に記載の帽子。
【請求項３】
前記頭頂部覆い布が前記つば覆い布に縫い付けられていることを特徴とする請求項１または２に記載の帽子。
【請求項４】
前記頭頂部覆い布が頭頂部覆い布止め具により前記つば覆い布に着脱自在に取付けられていることを特徴とする請求項１または２に記載の帽子。
【請求項５】
前記つば本体が着用者の頭部に係合する立上がり部を具備しており、該立上がり部の内側に着用者の汗を吸取る汗止め材が設けられていることを特徴とする請求項１〜４の何れか１項に記載の帽子。
【請求項６】
前記つば覆い布は筒状に形成されており、前記つば本体を筒状のつば覆い布により包み込んでいることを特徴とする請求項１〜４の何れか１項に記載の帽子。
【請求項７】
前記延長部材が、着用者の後頭部または首部を覆う大きさを有し、前記つば覆い布と別体に作られ、該つば覆い布に縫付けられまたは着脱可能に取付けられていることを特徴とする請求項１〜６の何れか１項に記載の帽子。
【請求項８】
前記延長部材が、着用者の後頭部または首部を覆う大きさを有し、前記つば覆い布と一体に作られていることを特徴とする請求項１〜６の何れか１項に記載の帽子。
【考案の詳細な説明】
【技術分野】
【０００１】
本考案は帽子に関する。より詳しくは、本考案は、着用者が不快な締付け感を受けることなく、スッポリと被ることができる帽子であって、所謂ＰＴＯに応じて、サンバイザー（目庇のみを有する帽子）のような帽子としたり、頭頂部を有する通常の形態としたりできる帽子に関する。
【背景技術】
【０００２】
従来からの帽子において、陽射しに応じて紫外線防止効果を調節するようにしたものが種々提案されている。
【０００３】
例えば、特開２００２−１５５４１５号公報（特許文献１）には、帽子のつばの上に、巾の広い大きなつばを重ねるようにして、紫外線を防止すると共に、大きなつばを容易に着脱可能にすることが開示されている。
【０００４】
また、特開２００２−２９４５１０号公報（特許文献２）には、帽子のつばの上に、日除けつばを必要に応じて取外し可能に載置して、強い陽射しや紫外線を防いだり、小雨を凌いだりすることが開示されている。
【０００５】
さらに、実用新案登録第３１４７００８号公報（特許文献３）には、帽子を、メッシュ部材からなる本体部とつば部とつば部の下面に取付けたシート部材から構成して、帽子本体部の通気性を維持しつつ着用者の顔や首に当たる紫外線の遮蔽率を高めることが開示されている。
【０００６】
また、帽子の用途に応じて、帽子の頭部を覆う頭頂部を帽子本体に着脱可能とし、帽子本体に頭頂部を取付けた状態で使用したり、帽子本体のみで使用できるようにした帽子も種々提案されている。
【０００７】
例えば、実用新案登録第３００６７２１号公報（特許文献４）には、帽子の頭部のサイズリボンの下部にボタン穴を開け、ひさしの立上がりの部分の外側にボタンを付けて、帽子本体に対して帽子の頭部を分離又は結合可能な構造とすることにより、幾種類もの用途の帽子に使い分けるようにした帽子が開示されている。
【０００８】
実用新案登録第３１４４６０５号公報（特許文献５）には、略半球状の帽子本体の下部に、内側にゴム弾性体が設けられた布製の環状つば部を組合わせ、ゴム弾性体により環状つば部を帽子本体に着脱可能に組合わせることが開示されている。
【０００９】
帽子の着用者の頭の大きさに応じて帽子本体の周方向長さを調節できるようにした帽子も広く使用されている。このような帽子において、周方向長さを調節する締付け具が外から見えないようにしたものとして、例えば、実公平７−３０６５５号公報（特許文献６）には、頭部を覆う本体部と、この本体部の側面部に形成された切込部と、本体部の側面部に設けられ切込部を跨ぐ状態で取付けられる締付具と、本体部に設けられて締付具を係止する係止手段と、環状の挿入部を有し締付具を挿入部に挿入することにより締付具に取付けられる装飾体とを有してなり、装飾体により締付具を隠して外観を向上するようにした装飾体付き帽子が開示されている。
【先行技術文献】
【特許文献】
【００１０】
【特許文献１】特開２００２−１５５４１５号公報
【特許文献２】特開２００２−２９４５１０号公報
【特許文献３】実用新案登録第３１４７００８号公報
【特許文献４】実用新案登録第３００６７２１号公報
【特許文献５】実用新案登録第３１４４６０５号公報
【特許文献６】実公平７−３０６５５号公報
【考案の概要】
【考案が解決しようとする課題】
【００１１】
上述した特許文献１〜３に開示された帽子のつばにおいては、紫外線が強い場合に、帽子のつばの上または下に、別のつばを重ねるようにして、紫外線を防止するようにしている。
【００１２】
しかし、これら特許文献１〜３に開示された帽子のつばは、頭頂部のある普通の帽子と組合わせることにより使用可能であり、単独でサンバイザーとして使用することはできない。
【００１３】
さらに、特許文献１〜３に開示された帽子では、帽子の着用者の頭の大きさに応じて帽子本体の周方向長さを調節する構造となっていないという問題がある。
【００１４】
一方、特許文献４、５に開示された帽子によれば、帽子の頭部を覆う頭頂部を帽子本体から取外すことによりサンバイザータイプの帽子としたり、頭頂部を帽子本体に取付けることにより、頭頂部のある普通の帽子として使用することができる。
【００１５】
しかし、上述した特許文献４、５に開示された帽子においては、帽子本体のつばにおける紫外線遮蔽率についての配慮がされておらず、特にサンバイザータイプの帽子として使用する際に強い紫外線を十分に防止できないと言う問題がある。
【００１６】
さらに、特許文献４、５に開示された帽子では、帽子の着用者の頭の大きさに応じて帽子本体の周方向長さを調節する構造となっていないという問題がある。なお、特許文献５に開示されたゴム弾性体は環状つば部を帽子本体に組合わせるものであり、着用者の頭の大きさに応じて帽子本体の周方向長さを調節するものではない。
【００１７】
特許文献６に開示された帽子では、帽子の着用者の頭の大きさに応じて帽子本体の周方向長さを長くしたり縮めたりして調節する構造としている。そのため、特許文献６に開示された帽子の着用者は、頭の大きさに合わせて周方向長さが縮められた帽子本体を被ることになり、このような帽子本体により頭を押さえ付けられ、快適な着用感が得られないという問題がある。
【００１８】
また、特許文献６に開示された帽子によれば、帽子の頭部を覆う頭頂部を帽子本体から取外すことによりサンバイザータイプの帽子としたり、頭頂部を帽子本体に取付けることにより、頭頂部のある普通の帽子として使用することについての配慮がされておらず、このように使用することができないという問題がある。
【００１９】
本考案は、上述した従来技術に付随する問題をなくし、着用者が不快な締付け感を受けることなくスッポリと被ることができ、所謂ＰＴＯ（着用場所、着用する季節や時間帯、着用時の服装等）に応じて、サンバイザー（目庇のみを有する帽子）のような帽子としたり、頭頂部を有する通常の帽子の形態とし、さらには、素材、色、柄を変えて、幾通りにも使用できるようにした帽子を提供することを目的とする。
【課題を解決するための手段】
【００２０】
本考案においては、硬い可撓性の生地からなり着用者の頭部に被せられるつば本体、覆い布止め具により該つば本体の上に着脱可能な柔軟な布製のつば覆い布、および前記つば本体に着脱可能な頭頂部覆い布からなり、前記つば本体の後端部が開いており、該つば本体の開いた両後端部が長さ調節可能なゴム部材によりつながっており、前記つば覆い布が前記ゴム部材をカバーする延長部材を具備し、該延長部材の先端部と該先端部に対向する前記つば覆い布の箇所とを係合する延長部材止め具を有していることを特徴とする帽子により、上述の目的を達成する。
【００２１】
前記つば本体の両後端部に前記ゴム部材の端部がそれぞれ取着され、該ゴム部材の両端部間に該ゴム部材の長さを調節する部材が取付けられていることが好ましい。また、つば本体の両後端部に複数のゴム部材を平行に取着してもよい。
【００２２】
前記頭頂部覆い布が、前記つば覆い布に縫い付けられていてもよいし、前記つば覆い布に頭頂部覆い布止め具により着脱自在に取付けられていてもよい。
【００２３】
前記つば本体が着用者の頭部に係合する立上がり部を具備しており、該立上がり部の内側に着用者の汗を吸取る汗止め材が設けられていることが好ましい。
【００２４】
前記つば覆い布は筒状に形成されており、前記つば本体を筒状としたつば覆い布により包み込んでいることにより、つば覆い布が風によりあおられることがないようにすることが好ましい。この場合に、着用者の額側のつば覆い布が着用者の額に接触するようにして、汗止め材を省略できる。
【００２５】
前記延長部材が、着用者の後頭部または首部を覆う大きさを有し、前記つば覆い布と一体でもよいし、或いは別体に作られ、つば覆い布に縫付けられまたは着脱可能に取付けられていてもよい。
【考案の効果】
【００２６】
本考案の帽子は、着用者の頭部に被せられる硬い可撓性の生地からなるつば本体、覆い布止め具によりつば本体の上に着脱可能な柔軟な布製のつば覆い布、およびつば本体に着脱可能な頭頂部覆い布から構成されている。このため、つば覆い布および／または頭頂部覆い布を、つば本体に、適宜、取付け、または取外すことができる。
【００２７】
これにより、所謂ＰＴＯ（着用場所、着用する季節や時間帯、着用時の服装等）に応じて、頭頂部覆い布をつば本体から外して、本考案は、サンバイザー（目庇のみを有する帽子）のような帽子とすることができる。一方、頭頂部覆い布をつば本体に取付けることにより、本考案は頭頂部を有する通常の帽子の形態とすることができる。
【００２８】
本考案においては、つば本体の上につば覆い布を取付けることにより、全体として日除け効率（遮光効率）を高めることができる。
【００２９】
さらに、本考案は、つば覆い布や頭頂部覆い布に夏用生地や秋冬用生地を使用して何種類も用意したり、適宜飾りを付けたり、頭頂部覆い布に彩色したり模様を描いたりすることもできる。このようにして、つば覆い布や頭頂部覆い布を取付けたり、交換することにより、種々の雰囲気とすることができ、着用場所、着用する季節や時間帯、着用時の服装等に応じて、一つの帽子を幾通りにも使用できる。
【００３０】
本考案においては、つば本体の後端部が開いており、つば本体の開いた両後端部が長さ調節可能なゴム部材によりつながっている。このため、帽子の着用者の頭の大きさに応じて帽子本体の周方向長さを長くしたり縮めたりして調節する構造となっている従来の帽子のように、着用者は頭の大きさに合わせて周方向長さが縮められた帽子本体により押さえ付けられることがない。すなわち、本考案においては、ゴム部材が着用者の頭の周囲長に応じて伸縮して、つば本体が帽子の着用者の頭をソフトに押さえるので、快適な着用感が得られる。
【００３１】
また、本考案においては、つば覆い布がゴム部材をカバーする延長部材を具備し、延長部材の先端部と先端部に対向するつば覆い布の箇所とを係合する延長部材止め具を有している。このため、本考案においては、つば本体の開いた両後端部やゴム部材が露出せず、見栄えがよい帽子が得られる。
【００３２】
特に、つば本体の両後端部にゴム部材の端部がそれぞれ取着され、ゴム部材の両端部間にゴム部材の長さを調節する部材が取付けられていることが好ましい。このような構造とすることにより、着用者の着用感を損ねることなく、つば本体の大きさの調節が容易に行える。また、つば本体の両後端部に複数のゴム部材を平行に取着してもよく、この場合に複数のゴム部材の長さを変えることにより、つば本体のつばの向きを容易に所望方向とすることができる。
【００３３】
前記頭頂部覆い布が、前記つば覆い布に縫い付けられていてもよいし、前記つば覆い布  本考案の延長部材は、着用者の後頭部または首部を覆う大きさを有しており、着用者の後頭部または首部の日焼けを防止するようになっていることが好ましい。この場合に、容易に製作にするために、延長部材は、つば覆い布と別体に作られて、つば覆い布に縫付けられ、または着脱可能に取付けられていることが好ましい。
【００３４】
また、つば覆い布を筒状にして、つば本体をスッポリ覆うようにした場合は、強風が吹いてもつば覆い布が風にあおられることがない。
【図面の簡単な説明】
【００３５】
【図１】本考案の帽子の使用状態を示す斜視図であり、（ａ）はつば本体の上につば覆い布を取付け、頭頂部覆い布を外してサンバイザータイプとした状態を示し、（ｂ）はつば本体の上につば覆い布と頭頂部覆い布とを取付けて、通常の帽子の形態とした状態を示す。
【図２】本考案の帽子に用いるつば本体の一実施例の斜視図である。
【図３】本考案の帽子に用いるつば覆い布の一実施例の平面図である。
【図４】頭頂部覆い布とつば覆い布を、つば本体に取付けた本考案の帽子の実施例の側面図であり、（ａ）においては頭頂部覆い布がつば覆い布に縫い付けられ、（ｂ）においては頭頂部覆い布がつば覆い布に頭頂部覆い布止め具により着脱可能に取付けられている。
【図５】本考案に係る帽子のつば本体およびつば覆い布の後端部付近を示す拡大図であり、（ａ）はつば覆い布に設けられた延長部材を開いた状態、（ｂ）はつば覆い布を取外した状態のつば本体、（ｃ）はつば覆い布の延長部材を閉じた状態を示し、（ｄ）はつば本体に設けられるゴム部材の長さ調節部材の一実施例の拡大斜視図である。
【図６】本考案に係る他の実施例における帽子のつば覆い布の後端部を示す拡大図であり、（ａ）においては大きな延長部材が開いており、その一部分のみが示されており、（ｂ）においては延長部材を閉じて、この実施例の帽子を着用した状態の側面図としている。
【図７】本考案に係るつば本体の一実施例の断面図である。
【図８】本考案に係るつば覆い布を別の方法によりつば本体へ取着した実施例の一部を示す断面図である。
【考案を実施するための形態】
【００３６】
以下、本考案の実施例を図示した添付図面を参照して、本考案を詳細に説明する。
【実施例】
【００３７】
図１は、本考案の帽子の使用状態を示す斜視図であり、（ａ）はつば本体の上につば覆い布を取付け、頭頂部覆い布を外してサンバイザータイプとした状態（髪の毛Ｈが見えている）を示し、（ｂ）はつば本体の上につば覆い布と頭頂部覆い布とを取付けて、通常の帽子の形態とした状態（髪の毛は頭頂部覆い布の中に入っていて見えない）を示す。
【００３８】
図１（ａ）、（ｂ）において、本考案に係る帽子２０は、着用者の頭に装着されるつば本体１を含んでいる。つば本体１は、ポリエステル、アクリルなどの合成繊維の生地、好ましくは、ポリエステル、アクリルなどのモノフィラメントなどの太めの糸をネット状に編んで製作した比較的網目が粗く硬い可撓性のネットからなっている。
【００３９】
このような生地から、着用者の頭部形状に合わせて、図２に示すように、ネット１ｅからなり、後端部１ａが開き、外周部１ｃおよび内周部１ｄからなる馬蹄形状のつば本体１を製作する。
【００４０】
すなわち、生地を、着用者の頭部形状に合わせて、馬蹄形状に裁断し、接触した際に傷が付かないように馬蹄形状の外周部１ｃに縁かがり等の仕上げ処理をする。または、略長方形形状をした生地を、馬蹄形状の外周部１ｃとなる長手方向の折曲げ線に沿って折曲げ線の回りに緩く折曲げつつ長手方向の両端部を縮縫（いせ）て互いに縫い合わせて内周部１ｄとする。なお、図２に示すようにつば本体１の目庇部のつばを他の箇所のつばよりも広くしてもよいが、つば本体１のつばを略一様な幅としてもよい。
【００４１】
着用者が本考案の帽子を着用した際に、着用者の頭部に接するつば本体１の内周部１ｄを、つば本体１のつばに対して直角または直角に近い角度をなして立上げさせて３〜５ｃｍ程度の適宜の幅ｈの立上がり部１ｂとし、着用者の頭部に係合するようにしている。なお、本実施例の立上がり部１ｂはつば本体１と同様にネット１ｅにより製作されているが、図示を明瞭にするために、図２においては立上がり部１ｂの斜線は省略している。
【００４２】
図１（ａ）、（ｂ）において、つば本体１の上に、レース生地や通常の織物または編物生地製でつば本体１よりも柔軟な布のつば覆い布２を、覆い布止め具３（図２、図３参照）により着脱可能に取付けている。
【００４３】
本考案の帽子をサンバイザーのように使用する場合には、つば覆い布２は、つば本体１のネット生地に比較して柔軟なものとすることが好ましく、レースなどであると夏らしくて好ましい。
【００４４】
一方、本考案の帽子を、頭頂部を有し通常の帽子のように使用する場合には、つば覆い布２は、通常の織物または編物生地としてもよい。
【００４５】
また、図３につば覆い布２の実施例を示す。この実施例においては、つば覆い布２は、つば本体１と同様に、馬蹄形状としている。しかし、本考案のつば本体１の立上がり部１ｂに係合する楕円状開口を有する楕円形状としてもよい。また、つば覆い布２に、適宜、飾り花のような飾り２ａを付けてもよい。
【００４６】
上述した覆い布止め具３としては、つば本体１とつば覆い布２とにそれぞれ取付けられた凹凸のホックの組合せ、ボタンとボタン穴の組合せ、面状ファスナーテープなどとすることができる。
【００４７】
覆い布止め具３の一実施例として、例えば凸ホック３ａを図２に示すようにつば本体１に設け、凹ホック３ｂを図３に示すようにつば覆い布２に設けている。
【００４８】
つば覆い布２をつば本体１の上に取付けることにより、つば本体１のみの場合に比較して、よりお洒落な雰囲気にできるとともに、日除け効率（遮光効率）を高めることができる。さらに、つば覆い布２として、日除け効率（遮光効率）がつば本体１のものより大きいものを選択することにより、日除け効率（遮光効率）をさらに一層高められる。
【００４９】
さらに、図１（ｂ）に示す実施例においては、つば本体１に頭頂部覆い布４を着脱可能に取付けている。
【００５０】
この場合に、図４（ａ）に示すように、頭頂部覆い布４が、つば覆い布２に縫い目４ａで縫い付けられていて、つば覆い布２とともに頭頂部覆い布４が、覆い布止め具３により、つば本体１に着脱可能であってもよい。または、図４（ｂ）に示すように、頭頂部覆い布４が、つば覆い布２に頭頂部覆い布止め具５により着脱自在に取付けられていて、つば覆い布２とともに頭頂部覆い布４が、覆い布止め具３により、つば本体１に着脱可能であってもよい。
【００５１】
頭頂部覆い布止め具５としては、覆い布止め具３と同様な、つば覆い布２と頭頂部覆い布４とにそれぞれ取付けられた凹凸のホックの組合せ、ボタンとボタン穴の組合せ、面状ファスナーテープなどとすることができる。
【００５２】
頭頂部覆い布４は、つば覆い布２と同様に、レース生地や通常の織物または編物生地としてもよい。
【００５３】
また、頭頂部覆い布４に、つば覆い布２と同様に、適宜、飾り花のような飾り２ａを付けてもよい。また、頭頂部覆い布４が織物または編物生地からなる場合に、織りもしくは編みまたは染色により適宜の模様を生地に付けてもよい。
【００５４】
つば本体１の後端部１ａは、図２および図５（ｂ）に示す実施例においては、つば本体１のつば部および立上がり部１ｂの後端部１ａが互いに開いている。
【００５５】
ゴム部材（好ましくは平たいゴム紐）６を準備し、ゴム部材６の両端部６ａ、６ｂをそれぞれ、図５（ｂ）に示すように、つば本体１の立上がり部１ｂの開いた両後端部１ａ、１ａに縫着する。次いで、ゴム部材６の両端部６ａ、６ｂ間にゴム部材の長さ調節部材１１を取付ける。なお、実施例のように、つば本体１の立上がり部１ｂの開いた両後端部１ａ、１ａ間に２本（またはそれ以上）のゴム部材６を平行に設け、それぞれのゴム部材６にゴム部材の長さ調節部材１１を設けることが好ましいが、ゴム部材６の本数を１本としてもよい。
【００５６】
また、ゴム部材６のつば本体１への取着方法は、上述した縫着のほか、凹凸のホックの組合せ、ボタンとボタン穴の組合せ、面状ファスナーテープなどとすることができる。
【００５７】
図示した長さ調節部材１１は、図５（ｄ）に示すように、中空筒体１２と、摺動体１３と、スプリング１４とからなっている。中空筒体１２の一端には、底１２ｃが形成され、中空筒体１２の対向する中空壁面１２ａに開口１２ａａが形成されている。摺動体１３は、中空筒体１２の中空部１２ｂに沿って摺動可能で且つ中空筒体１２の開口１２ａａに対応する開口１３ａを有する。スプリング１４は、中空筒体１２の底１２ｃと中空筒体１２に挿着された摺動体１３との間に装着されており、摺動体１３を中空筒体１２の反底側に付勢する。
【００５８】
この長さ調節部材１１においては、スプリングの付勢力に抗して摺動体１３を押し込んだ状態で、閉ループ状部分のゴム部材６を折返したままで、中空筒体１２の開口１２ａａから摺動体１３の開口１３ａへ、さらに中空筒体１１の他の開口１２ａａに通し摺動体１３を所定位置とし、摺動体１３の押圧を解くことにより、所定のゴム部材６の長さとする。このようにして、ゴム部材６の長さを着用者の頭の周囲長に応じて調節して、ゴム部材６の弾性力により、つば本体１が帽子の着用者の頭をソフトに押さえるようにするので、快適な着用感が得られる。
【００５９】
なお、本考案のゴム部材の長さ調節部材は上記のものに限定されず、他の公知のものを用いることもできる。
【００６０】
図５（ａ）につば覆い布２の実施例を示す。この実施例においては、つば覆い布２は、つば本体１と同様に、後端部２ｂ、２ｃが開いた馬蹄形状としている。長さ調節部材１１のゴム部材６をカバーするために、延長部材７の一端部７ｂがつば覆い布２の開口部２ｂに、縫い目７ｃにより縫着されている。
【００６１】
延長部材７の先端部７ａに、ホックからなる延長部材止め具８ａが設けられている。また、図５（ｃ）において延長部材７の先端部７ａに対向するつば覆い布２の開口部２ｃの近傍に、ホックからなる延長部材止め具８ｂが設けられている。
【００６２】
本実施例においては、前述のように、つば覆い布止め具３により、つば覆い布２をつば本体１に取付けて、延長部材止め具８の係合を解くと、図５（ａ）に示すように、延長部材７は開く。一方、延長部材止め具８を係合させると、図５（ｃ）に示すように、延長部材７が閉じる。
【００６３】
図５（ａ）のように、つば覆い布２の延長部材７を開いた状態で、図５（ｄ）に示されるつば本体１のゴム部材の長さ調節部材１１を操作してゴム部材６を所定の長さとする。また、図５（ｃ）のように、つば覆い布２の延長部材７を閉じると、つば本体１のゴム部材の長さ調節部材１１が隠れて見栄えが良くなる。
【００６４】
なお、延長部材止め具８としては、上述の凹凸のホックの組合せに限られず、ボタンとボタン穴の組合せ、面状ファスナーテープなどの、公知のものとすることもできる。
【００６５】
上記実施例においては、延長部材７が、つば覆い布２と別体に作られ、つば覆い布２に縫付けられいた。しかし、延長部材７が、つば覆い布２に着脱可能に取付けられていてもよく、或いは、つば覆い布２と一体に形成されていてもよい。
【００６６】
また、図６に示すように、本考案の延長部材７が、着用者の後頭部または首部を覆う大きさを有することが好ましく、このようにすることにより、着用者の後頭部または首部を覆い、その部分の日焼けを防ぐことができる。
【００６７】
図７に示す本考案の実施例においては、つば本体１の立上がり部１ｂの内側の着用者の額が当たる箇所に、木綿やレーヨンなどの不織布や織物をテープ状としたものからなり、着用者の汗を吸取る汗止め材９が接着または縫着により設けられている。
【００６８】
前述した実施例と同様に、図７に示す実施例においても、覆い布止め具３により柔軟な布製のつば覆い布２がつば本体１の上に着脱可能であり、頭頂部覆い布４がつば本体１に直接にまたはつば覆い布２を介してつば本体１に着脱可能である。
【００６９】
図８に示す実施例においては、柔軟な生地からなるつば覆い布２は、幅方向の端部が縫合わされて長さ方向の両端が開いた筒状に形成されている。
【００７０】
この実施例においては、ゴム部材６の両端部６ａ、６ｂを、つば本体１の両端部１ａ、１ｂに縫着などにより固着する代りに、前述したように凹凸のホックの組合せ、ボタンとボタン穴の組合せ、面状ファスナーテープなどを採用してつば本体１の両端部１ａ、１ｂに着脱可能に取着し、一旦、ゴム部材６の一方の端をつば本体１から外してつば本体１の両端部を開いた状態とし、筒状のつば覆い布２につば本体１を挿入し、その後に、ゴム部材６をつば本体１に係合することにより、筒状のつば本体１をゴム部材６に簡単に挿着できる。
【００７１】
筒状としたつば覆い布２によりつば本体１のつばおよび立上がり部１ｂを包み込んでおり、つば覆い布２の着用者の額側の部分２ｄが着用者の額に接触するので、図７に示した汗止め材９を省略することができる。また、つば覆い布２が風によりあおられることが防止できる。
【００７２】
前述した実施例と同様に、図８に示す実施例においても、頭頂部覆い布４がつば本体１に直接にまたはつば覆い布２を介してつば本体１に着脱可能である。
【符号の説明】
【００７３】
１  つば本体
１ａ  つば本体の後端部
１ｂ  つば本体の立上がり部
１ｃ  つば本体の外周部
１ｄ  つば本体の内周部
１ｅ  ネット
２  つば覆い布
２ｂ、２ｃ  つば覆い布の後端部
３  覆い布止め具
３ａ  凸ホック
３ｂ  凹ホック
４  頭頂部覆い布
５  頭頂部覆い布止め具
６  ゴム部材
７  延長部材
８  延長部材止め具
８ａ、８ｂ  ホック
９  汗止め材
１１  ゴム部材の長さ調節部材
１２  中空な筒体
１２ａ  中空壁面
１２ａａ  開口
１２ｂ  中空部
１２ｃ  底
１３  摺動体
１３ａ  開口
１４  スプリング
２０  本考案に係る帽子
【図１】
0003161483.tif 000003
【図２】
0003161483.tif 000004
【図３】
0003161483.tif 000005
【図４】
0003161483.tif 000006
【図５】
0003161483.tif 000007
【図６】
0003161483.tif 000008
【図７】
0003161483.tif 000009
【図８】
0003161483.tif 000010